(57)【特許請求の範囲】
【請求項１】
エレベーターを制御するエレベーター制御装置から前記エレベーターの各種の状態データを収集して交通情報を提供するエレベーター情報提供装置において、
該エレベーター情報提供装置は、当日の前記エレベーターの交通量を所定値と比較して、平日に相当する日か休日に相当する日かを判定する手段と、前記判定手段の判定結果に従って、当日を含む近日の平日に相当する所定日数間に収集した上記各状態データか当日を含む近日の休日に相当する所定日数間に収集した上記各状態データかに基づいて統計処理を行う手段と、前記各日毎にエレベーターの交通量を前記所定値と比較して、前記所定値以下の連続日数および前記所定値より大きい連続日数を集計する手段と、前記集計された連続日数が所定の日数以上になった時は、前記所定値の変更を要求する手段とを備えたことを特徴とするエレベーター情報提供装置。
【発明の詳細な説明】
【０００１】
【発明の属する技術分野】
本発明は、エレベーター情報提供装置に係わり、特に、平日または休日の交通量を自動的に判定し、近日の所定日数間の統計処理を行ってエレベーターの混雑情報や、サービス情報を収集して提供するエレベーター情報提供装置に関する。
【０００２】
【従来の技術】
従来技術として、特開平４−１８２２８５号公報には、エレベーターの交通実測装置によってエレベーター群管理装置から送られてくる伝送データに基づいて、現時点までの統計処理を行いエレベーターの運行履歴ダイヤグラムを表示することが開示されている。
【０００３】
また、特開昭６０−４８８７５号公報には、出勤時等の所定の区切られた時間帯毎に、ＲＯＭに記憶されているカレンダ情報により平日と休日とを区別し、平日と休日毎に交通量を統計し、平日、休日の統計結果から、半ドン日の統計を取らなくても、適切なかごの運行管理ができるエレベーターの管理装置が開示されている。
【０００４】
また、特開昭６０−１９１９７５号公報には、群管理制御データをもとに、ユーザーサイドから出勤時間帯の時間入力を、月日、曜日、時間などをキーボードから入力し、エレベーター制御に係わる入力指令が可能なことが開示されている。
【０００５】
【発明が解決しようとする課題】
しかしながら、上記の従来技術では、平日と休日の判断を、ＲＯＭに書き込まれたカレンダーを利用したり、また、特別な大型連休や会社の記念日等の休日をユーザー側で入力する必要があった。
【０００６】
また、エレベーターの統計情報であるかご呼び継続時間やホール呼び継続時間は、母数がある程度の数を集計しないと良好な統計データが得られず、現実とマッチングしない問題があった。
【０００７】
また、エレベーター竣工後等は、ビル内引っ越し等により人員が増減して、休日の交通量でも、従来の平日の交通量と判断してしまったり、平日の交通量でも、従来の休日並の交通量となってしまい、平日および休日に相当する日を適切に判断できない問題があった。
【０００８】
本発明の目的は、上記の種々の問題点に鑑みて、平日と休日の区別をエレベーターを利用する交通量によって判定し、自動的に平日および休日に相当する日の統計データの区分を行って、統計処理を行うことのできるエレベーター情報提供装置を提供することにある。
【０００９】
また、他の目的は、交通量が少ない日は休日用としてデータで集計し、交通量が多い日は平日用としてデータを集計するとともに、古いデータから順次破棄して、常に最新の平日利用および休日利用の統計処理されたエレベーター情報を提供することのできるエレベーター情報提供装置を提供することにある。
【００１０】
さらに、他の目的は、エレベーター利用の突発的な事象を取り除くため、突発的な混雑や、空いている時等の情報を均等化した値を提供するために、統計処理により数日間の平均した値をとることにより、エレベーターの混み具合を適正に予測することのできるエレベーター情報提供装置を提供することにある。
【００１１】
【課題を解決するための手段】
本発明は、上記の課題を解決するために、次のような手段を採用した。
【００１２】
エレベーターを制御するエレベーター制御装置から前記エレベーターの各種の状態データを収集して交通情報を提供するエレベーター情報提供装置において、該エレベーター情報提供装置は、当日の前記エレベーターの交通量を所定値と比較して、平日に相当する日か休日に相当する日かを判定する手段と、前記判定手段の判定結果に従って、当日を含む近日の平日に相当する所定日数間に収集した上記各状態データか当日を含む近日の休日に相当する所定日数間に収集した上記各状態データかに基づいて統計処理を行う手段と、前記各日毎にエレベーターの交通量を前記所定値と比較して、前記所定値以下の連続日数および前記所定値より大きい連続日数を集計する手段と、前記集計された連続日数が所定の日数以上になった時は、前記所定値の変更を要求する手段とを備えたことを特徴とする。
【００１８】
【発明の実施の形態】
以下に、本発明の一実施形態を図１から図４を用いて説明する。
【００１９】
図１は、本実施形態に係わるエレベーター情報提供装置を適用したエレベーター装置の構成の概要を示す図である。
【００２０】
同図において、ＥＬ１は、ホール呼び等の指令に応じてエレベーターの走行制御、戸開閉制御、案内表示制御等を行うとともに、後述するエレベーター情報提供装置において統計処理される各種データを送出するエレベーター制御装置、６０１Ｚ，・・・６０８Ｚ，６０９Ｚは各階ホール１Ｆ，・・・８Ｆ，９Ｆで乗客が方向別に登録するホール呼び、１２Ｚ，・・・８２Ｚ，９２Ｚは、ホール呼びに基づいて点灯するとともに、エレベーターが到着した時、図示されていない音声表示とともにフリッカ表示して乗客に知らせる予約灯、２０Ｚは乗りかご、３０Ｚは乗りかご２０Ｚに乗り込んだ乗客によって行き先階が登録される行き先階登録装置、１１Ｚ，・・・８１Ｚ，９１Ｚは乗客がエレベーターを待っている間のいらいら感を緩和する等のためにビルの催しや階床案内等のメッセージ表示や、予約したエレベーターのかご位置等を表示するホールインフォメーション装置である。
ＥＬＩＮＦは、エレベーター制御装置ＥＬ１から送信された各種のエレベーターの状態データに基づいて統計処理を行い、ホール呼び、かご呼び、かご位置、異常等の交通情報を得て、ネットワーク等を介して、顧客等のパソコン等の表示装置に前記交通情報を送信するエレベーター情報提供装置である。
【００２１】
ＰＣは、ネッワークに接続された顧客のパソコン、またはＷｅｂサイトを構築し、クライアントサーバのサーバーとして提供可能な複数台の顧客パソコンである。
【００２２】
本実施形態では、単独エレベーターについて説明しているが、複数台のエレベーターを制御する群管理エレベーターにおいても同様に適用することができる。
このエレベーター情報提供装置ＥＬＩＮＦは、エレベーター制御装置ＥＬ１から送信された各種の状態データに基づいて統計処理を行い、例えば、平日５日間や休日５日間のホール呼び、かご呼び、かご位置、異常等の平均情報を得る。また統計処理の結果得られた当日の交通情報はオンラインで重ね合わせ、混雑状況の予測が可能な運行モニタ表示や、待ち時間の統計表示、混雑状況表示に利用される。
【００２３】
図２は、エレベーター情報提供装置ＥＬＩＮＦにおける統計処理の処理手順を示すフローチャートである。
【００２４】
この統計処理は５秒周期間隔で実行される。はじめに、ステップ１において、イニシャル処理がエレベーター情報提供装置ＥＬＩＮＦの電源投入時に１度だけ行われる。ここで、イニシャル処理とは、平日や休日の統計データ、混雑度データ、および平日や休日の連続カウンタのテーブルをクリアする処理である。ステップ２では、平日または休日の連続カウンタが、３０以上であれば、適切に休日や平日の判定ができていないと考えられるので、平日、休日の判定に用いられる設定された交通量の見直しを要求する。ステップ２において連続カウンタ値が３０未満のときは、ステップ４において、１日の集計が完了したかを判定する。完了していないときは、統計処理を行うことができないので、表示データ情報収集処理を終了する。完了していれば、ステップ５において当日の交通量を算出する。次いで、ステップ６において、平日の交通量と判定される最小の交通量である設定された平日の交通量と当日の交通量とを比較する。ここで、当日の交通量が設定された平日の交通量より多い時は、平日用の統計処理を行うために、ステップ７において、平日用の５日分のテーブルを１日分シフトさせ、当日用のエレベーター情報データを登録する。次いで、ステップ８において、テーブルに登録されている平日の５日分のエレベーター情報データに基づいて統計処理を実施し、統計データを更新する。ステップ９では、平日の連続カウンタをプラス１加算し、休日の連続カウンタをクリアする。ステップ６において、当日の交通量が、設定された平日の交通量より少ない時は、休日用の統計処理を行う。ステップ１０において、休日用の５日分のテーブルを１日分シフトさせ、休日用のエレベーター情報データを登録する。次いで、ステップ１１において、テーブルに登録されている休日の５日分のエレベーター情報データに基づいて統計処理を実施し、統計データを更新する。ステップ１２では、休日の連続カウンタをプラス１加算し、平日の連続カウンタをクリアする。
【００２５】
上記のステップ３において、交通量の見直し要求を行うのは、例えば、ビルによっては、１日の平日の交通量の設定が、ビル竣工時より大きく異なることがあり、その変更を把握する必要がある。そこで、竣工時は平日の交通量をエレベーター台数に比例して交通量を設定し、減少時は休日の所定日数の統計処理を行うようにしている。そのため、例えば、１カ月（３０日）以上連続して平日や休日のどちらかが続くときは、交通量の判定値の変更を促し、適切な交通量を設定して正しい統計処理を行わせる必要がある。
【００２６】
また、ステップ７およびステップ１０の処理は、古いデータから順次破棄して、常に最新のデータに基づいて統計処理を行わせるものである。その結果、平日および休日の統計処理された最新のエレベーターの交通情報を知ることができる。
【００２７】
また、ステップ８およびステップ１１の処理は、エレベーター利用の突発的な事象を、取り除くために、突発的な混雑や、空いている時等の情報を均等化した値を提供するための数日間の平均した値を統計処理するものであり、これにより、エレベーターの当日の混み具合を最新の統計結果から予測することができる。
【００２８】
図３および図４は、顧客のパソコンの表示画面に表示された表示データ情報の一例を示す図である。
【００２９】
図３に示す表示画面には、上段に近日の平日（５日間）の平均統計データおよび下段に近日の休日（５日間）の平均統計データが表示される。ここに表示される平均統計データは、方向別のホール呼び数、かご呼び数、満員発生回数、ホール呼び継続時間、かご呼び継続時間を１時間毎に集計処理したものである。
【００３０】
また、図４に示す表示画面には、上段に近日の平日（５日間）の混雑度および下段に近日の休日（５日間）の混雑度がグラフ表示される。この混雑度も１時間毎に集計処理されたものである。ここで、混雑度は上記の各種の平均統計データに基づいて算出されたものである。
【００３１】
このように、ネットワークを介して、パソコンを所有する顧客は、交通情報をパソコン画面に表示することにより、エレベーターの混雑情報を知ることができ、この情報を利用することにより、空いた時間にエレベーターを利用したり、また、会議の開始・終了の時間帯を設定することができる。
【００３２】
またエレベーター管理者は、これらの交通情報を利用して空いた時間帯にエレベーターの定期的な掃除をさせたり、また、エレベーターの運転台数を制限して使用し、省エネを図ることができる。さらにまた、混雑度が増し、輸送能力が不足する時間帯があるときはエレベーターの運転台数の増加計画を立てることもできる。
【００３３】
なお、統計処理の結果、統計データの数値が、前回の統計データの数値に比べて大きく変化したときは、変化の増減に応じて数値やグラフの表現色、例えば、前回と大きく変化したときや減少したときは赤色で表示し、増大したときは青色で表示して、前回統計データの数値との相違を明瞭に認識させることができる。
【００３４】
また、エレベーター情報提供装置における統計処理は、顧客パソコンの表示については特に触れていないが、統計処理は、顧客パソコンＰＣの表示画面の構成にマッチングするように行わせてもよい。
【００３５】
また、交通情報を顧客パソコンに表示する以外に、必要に応じてエレベーターホールに設置される案内装置に表示することも可能である。
【００３６】
【発明の効果】
上記のごとく、本発明によれば、平日と休日の区別をするための入力設定が不要となり、自動的に平日と休日とを区別して統計処理を行い交通情報を提供することができる。
【００３７】
また、統計処理を行う所定日数を当日を含む近日の数日間のデータに基づいて統計処理を行うので、最新の交通情報が得られる。また、所定日数を適切の設定することにより、現実にマッチングした交通情報が得られる。
【００３８】
また、平日用や休日用の統計処理が、所定日数、例えば、３０日以上も連続して発生しているときは、あらかじめ設定した平日と休日を分けるために設定した交通量が不適切である可能性があるので変更要求を行わせ、適切な交通量を設定を促し正確な統計処理を行わせることができる。
【図面の簡単な説明】
【図１】本発明の一実施形態に係わるエレベーター情報提供装置を適用したエレベーター装置の構成の概要を示す図である。
【図２】本実施形態に係わるエレベーター情報提供装置における統計処理の処理手順を示すフローチャートである。
【図３】顧客パソコンの表示画面に表示された交通情報の一例を示す図である。
【図４】顧客パソコンの表示画面に表示された他の交通情報の一例を示す図である。
【符号の説明】
ＥＬ１  エレベーター制御装置
２０Ｚ  乗りかご
３０Ｚ  行き先呼び釦
６０１Ｚ，６０２Ｚ，６０９Ｚ  ホール呼び釦
１１Ｚ，８１Ｚ，９１Ｚ  表示装置
１２Ｚ，８２Ｚ，９２Ｚ  ホールランタン
ＰＣ  パソコン
【図１】
0003945924.tif 000002
【図２】
0003945924.tif 000003
【図３】
0003945924.tif 000004
【図４】
0003945924.tif 000005